(57)【要約】【課題】  比較的長丈で厚手の裏地を有していても、所望箇所に刺繍やプリントを迅速且つ的確に施すことができる防寒着の提供。【解決手段】  裏地１ｂの左右脇縫線へ到達する横方向の切り込みを入れ、上下方向へ開放される開放口２を形成すると共に、この開放口２の上下対応する適当箇所に面ファスナー３を取り付けしめ、表地１ａの適所に対して文字や図形模様をプリント或いは刺繍するさい、上記開放口２の全体を開放可能となし、この開放口２からプリント用基台受け或いはミシン刺繍用縫製台を出し入れ可能になす。【選択図】  図１
0003106101.tif 000002
【実用新案登録請求の範囲】
【請求項１】
表地と裏地が縫合された防寒着であって、該裏地の左右脇縫線へ到達する横方向の切り込みを入れ、上下方向へ開放される開放口を形成すると共に、該開放口の上下対応する適当箇所に面ファスナーを取り付けしめ、表地の適所に対して文字や図形模様をプリント或いは刺繍するさい、上記開放口の全体を開放可能となし、該開放口からプリント用基台受け或いはミシン刺繍用縫製台を出し入れ可能となした構成を特徴とする防寒着。
【請求項２】
請求項１記載の防寒着をベンチコートとなしたこと。
【考案の詳細な説明】
【技術分野】
【０００１】
本考案は、防寒着に関するものであり、詳しくは、表地にプリントや刺繍を容易に施すことができる防寒着に関するものである。
【背景技術】
【０００２】
従来における既製の防寒着では、一般的に、保温性の高い厚みのある裏地が使用され、該裏地を表地の形態に沿うように形成し、その周縁を表地の内側に縫着させてある。また、冬場のスポーツや街頭でのチラシ配布などでは、企業名や学校名などを宣伝広告のために背中部分や胸元などにプリントしたり刺繍したベンチコートなどの防寒着を着用することがある。通常、このような防寒着では、表地へのプリントや刺繍は、裏地の厚さや縫製による出来映えの影響を考慮して、表地と裏地とが縫い合わされる前に施されるのが一般的である。しかしながら、縫製前のプリントや刺繍の実施は、大量生産には適するものの少量生産には不適である。
【０００３】
それ故、既製品に対して顧客の要望により社名などの文字や図形模様を施す場合、刺繍では、表地の表面側のみに刺繍が施せるように、縫着されている裏地の裾をほどいて刺繍を施し、その後再度縫い直されることが多い。またプリントにおいては、そのままプリントした場合、裏地の厚みによる模様ズレや不鮮明な印刷等の不具合が生じるなどの問題もあった。とりわけベンチコート等のように比較的長丈で大きな防寒着の場合、裏地の裾部をほどいてもプリントや刺繍が施される位置が離れていることから、その作業において所望箇所にミシン掛けしたり、印刷用台座を挿入したりするのに手間が掛かり、作業効率が著しく劣っていた。
【０００４】
これに対し、表地の後身頃及び又は前身頃地の中央付近を横方向に二分し、上方布地の適所に対し、刺繍やプリント印刷による文字や図形模様を施すようにした上衣が提案されている（例えば、特許文献１参照）。
【０００５】
また、表身頃地とその裏地の裾端縁部に面ファスナーやジッパー（登録商標）を取り付けて、裾部の始末をすることなく所望の箇所に適宜好みの刺繍やプリント模様を施すようになした上衣も提案されている（例えば、特許文献２参照）。
【０００６】
また、後身頃の裏布地に切り込み線や開口部を穿設し、該部に開閉手段を設けて、表地の表面に刺繍やプリント模様を的確に施すようになした上着が提案されている（例えば特許文献３及び特許文献４参照）。
【特許文献１】登録実用新案第３０４５９１３号公報
【特許文献２】登録実用新案第３０４８０８１号公報
【特許文献３】登録実用新案第３０２６４８９号公報
【特許文献４】特開平９−１３２０５号公報
【考案の開示】
【考案が解決しようとする課題】
【０００７】
解決しようとする問題点は、ベンチコートなどの防寒着では、裏地の全周縁が表地の内側に縫合されており、表地の背中部や胸元などの表面に文字や図形模様などの刺繍やプリントを施すのが困難なことであり、本考案の目的とするところは、比較的長丈で厚手の裏地を有していても、所望箇所に刺繍やプリントを迅速且つ的確に施すことができる防寒着を提供することにある。
【課題を解決するための手段】
【０００８】
本考案は、表地に厚みのある裏地を縫合した防寒着において、裏地の左右脇縫線へ到達する横方向の切り込みを入れ、上下方向へ開放される開放口を形成すると共に、該開放口の上下対応する適当箇所に面ファスナーを取り付けしめ、表地の適所に対して文字や図形模様をプリント或いは刺繍するさい、上記開放口の全体を開放可能となし、該開放口からプリント用基台受け或いはミシン刺繍用縫製台を出し入れ可能となす。
【考案の効果】
【０００９】
本考案の防寒着は、上記切り込み及び縫製の構成で裏地が後身頃の背中部分で大きく開口され且つ後身頃側から前身頃側に向かって空洞化されているので、該切り込みを介して背中部や胸元部に対して容易にミシン刺繍用縫製台や印刷機械の基台受けを挿入可能となり、これにより、極めて安定した状態で所望箇所にミシン刺繍が迅速且つ的確に行えるのであり、またプリント印刷が模様ズレすることなく的確且つ鮮明に行えるものとなって付加価値の向上に寄与する。
【考案を実施するための最良の形態】
【００１０】
表地に厚みのある裏地が縫合された防寒着において、表地の背中部や胸元部に迅速且つ的確に文字や図形模様をプリントしたり刺繍したりできるようにするという目的を、裏地の左右脇縫線へ到達する横方向の切り込みを入れ、上下方向へ開放される開放口を形成することで実現した。以下に実施例を示す。
【実施例１】
【００１１】
図１は、本考案に係るベンチコート１の正面図である。ベンチコート１は、表地１ａの裏面側へ裏地１ｂが縫合され、後身頃側の裏地１ｂには上下方向へ開放される開放口２を形成し、該開放口２に面ファスナー３を取り付けている。ここに、ベンチコート１は、着丈寸法が膝下までの長丈のもので、表地１ａが織物地、裏地１ｂが厚みが凡そ５〜１５ｍｍの保温性に優れた厚手ボアなどで構成されている。
【００１２】
上記表地１ａ及び裏地１ｂは、各々に出来上がり製品の形態に形成され、該裏地１ｂの周縁のみを表地１ａに縫合させて、後身頃側から前身頃側に向かって空洞化させる構成に縫製されている。
【００１３】
開放口２は任意に設計されるが、後身頃側の裏地１ｂ全体を水平に、即ち、左右脇縫線へ到達する横方向の切り込みを入れ、上下方向へ大きく開放されるものとなされる。而して、該開放口２を利用して、プリント印刷にさいしては基台受けを、ミシン刺繍にはミシン刺繍用縫製台を適宜挿入して、表地１ａの背中部や胸元部に対し所望のプリント印刷やミシン刺繍を行うのである。
【００１４】
面ファスナー３は任意に設計されるが、巾１．５ｃｍ程度、長さ４ｃｍ程度の大きさのものを適当間隔で上記開放口２の上下対応する箇所に上下布地を重ね合わせるように取り付けられる。通常サイズのベンチコートで３箇所ぐらい設けられる。
【００１５】
図２は、上記実施例により後身頃に実施されたプリント模様４を示すものである。
【００１６】
本考案に於ける上記実施例では、防寒着がベンチコートである場合について説明したが、これに限定されることなく、中綿入り裏地を有するハーフコートやジャンパーなどであってもよく本考案実施の範囲内とする。
【図面の簡単な説明】
【００１７】
【図１】本考案に係る防寒着（ベンチコート）の正面図である。
【図２】本考案に係る防寒着の背面図である。
【符号の説明】
【００１８】
１      ベンチコート（防寒着）
１ａ    表地
１ｂ    裏地
２      開放口
３      面ファスナー
４      プリント模様
【図１】
0003106101.tif 000003
【図２】
0003106101.tif 000004
【手続補正書】
【提出日】平成16年7月29日(2004.7.29)
【手続補正１】
【補正対象書類名】実用新案登録請求の範囲
【補正対象項目名】請求項２
【補正方法】変更
【補正の内容】
【請求項２】
表地と裏地が縫合された防寒着であって、該裏地の左右脇線へ到達する横方向の切り込みを入れ、上下方向へ開放される開放口を形成すると共に、該開放口の上下対応する適当箇所に面ファスナーを取り付けしめ、表地の適所に対して文字や図形模様をプリント或いは刺繍するさい、上記開放口の全体を開放可能となし、該開放口からプリント用基台受け或いはミシン刺繍用縫製台を出し入れ可能となした構成を特徴とするベンチコート。